(57)【特許請求の範囲】
【請求項１】
縦方向と、前記縦方向と交差する横方向と、を有し、
前身頃部、後身頃部、前記前身頃部と前記後身頃部との間に位置する股下部を備え、前記前身頃部と前記股下部とが接合され、前記後身頃部と前記股下部とが接合されている外層シートと、
前記前身頃部から前記後身頃部に亘って設けられ、排泄物を吸収する吸収性本体と、を備え、
前記前身頃部の前記横方向における前身頃側縁と前記後身頃部の前記横方向における後身頃側縁が接合されている使い捨ておむつであって、
前記股下部には、股下レッグギャザーが設けられ、前記股下レッグギャザーは、前記吸収性本体とは接合されておらず、
前記前身頃部と前記股下部との接合部は、前記縦方向において、前記前身頃側縁の前記股下部側の端よりも前記股下部側に位置しており、
前記前身頃部と前記股下部とが重なった重なり部分において、前記接合部が設けられている一方で、該重なり部分の前記横方向における両端部には非接合部が設けられていることを特徴とする使い捨ておむつ。
【請求項２】
請求項１に記載の使い捨ておむつであって、
前記股下部の前記横方向における側縁は、内側に湾曲した湾曲部を備えており、
前記湾曲部に沿って前記股下レッグギャザーが設けられていることを特徴とする使い捨ておむつ。
【請求項３】
請求項２に記載の使い捨ておむつであって、
前記湾曲部は、前記前身頃部と重なっていることを特徴とする使い捨ておむつ。
【請求項４】
請求項１乃至請求項３のいずれかに記載の使い捨ておむつであって、
前記股下レッグギャザーは前記非接合部と重なっていることを特徴とする使い捨ておむつ。
【請求項５】
請求項１乃至請求項４のいずれかに記載の使い捨ておむつであって、
前記吸収性本体の前記横方向における横方向両端部分のうちの、前記縦方向における縦方向端部においては、前記吸収性本体が前記外層シートに接合されている一方で、
前記横方向両端部分のうちの、前記縦方向における縦方向非端部であって前記接合部と重なっている部分においては、前記吸収性本体が前記外層シートに接合されていないことを特徴とする使い捨ておむつ。
【請求項６】
請求項１乃至請求項５のいずれかに記載の使い捨ておむつであって、
前記接合部は、前側接合部であり、
前記後身頃部と前記股下部とは後側接合部にて接合されており、
前記股下部の最狭部からの前記前側接合部の離間距離は、該最狭部からの前記後側接合部の離間距離よりも小さいことを特徴とする使い捨ておむつ。
【請求項７】
請求項１乃至請求項６のいずれかに記載の使い捨ておむつであって、
前記吸収性本体の前記横方向における横方向中央部分においては、前記吸収性本体が、前記後身頃部の前記股下部側の端部と重なる部分を除いて、前記縦方向に沿って前記外層シートに接合されていることを特徴とする使い捨ておむつ。
【発明の詳細な説明】
【技術分野】
【０００１】
本発明は、使い捨ておむつに関する。
【背景技術】
【０００２】
おむつの一形態として、所謂パンツ型の使い捨ておむつは既によく知られている。この使い捨ておむつは、排泄物を吸収する吸収性本体と外層シートとを有している。外層シートには、前身頃部及び後身頃部が備えられ、吸収性本体は、前身頃部から後身頃部に亘って設けられている。そして、当該使い捨ておむつは、前身頃部の横方向における前身頃側縁と後身頃部の横方向における後身頃側縁が接合されることにより、形成されている。
【先行技術文献】
【特許文献】
【０００３】
【特許文献１】特開２００８−１６１５７２号
【発明の概要】
【発明が解決しようとする課題】
【０００４】
このような使い捨ておむつの中には、前身頃部と後身頃部との間に位置する股下部を外層シートに備え、前身頃部と股下部とが接合され、後身頃部と股下部とが接合されているおむつがある。
【０００５】
しかしながら、かかる使い捨ておむつにおいては、当該使い捨ておむつを着用した際に、股下部が内腿に適切にフィットしないという課題があった。また、着用時に股下部に発生した皺が前身頃部にも影響を与え、腹部に関しての着心地が良くないという問題もあった。
【０００６】
本発明は、上記のような問題に鑑みてなされたものであって、その目的とするところは、内腿や腹部に対しての使い捨ておむつの着用感を向上させることにある。
【課題を解決するための手段】
【０００７】
上記目的を達成するための主たる発明は、
縦方向と、前記縦方向と交差する横方向と、を有し、
前身頃部、後身頃部、前記前身頃部と前記後身頃部との間に位置する股下部を備え、前記前身頃部と前記股下部とが接合され、前記後身頃部と前記股下部とが接合されている外層シートと、
前記前身頃部から前記後身頃部に亘って設けられ、排泄物を吸収する吸収性本体と、を備え、
前記前身頃部の前記横方向における前身頃側縁と前記後身頃部の前記横方向における後身頃側縁が接合されている使い捨ておむつであって、
前記股下部には、股下レッグギャザーが設けられ、前記股下レッグギャザーは、前記吸収性本体とは接合されておらず、
前記前身頃部と前記股下部との接合部は、前記縦方向において、前記前身頃側縁の前記股下部側の端よりも前記股下部側に位置しており、
前記前身頃部と前記股下部とが重なった重なり部分において、前記接合部が設けられている一方で、該重なり部分の前記横方向における両端部には非接合部が設けられていることを特徴とする使い捨ておむつである。
【０００８】
本発明の他の特徴については、本明細書及び添付図面の記載により明らかにする。
【発明の効果】
【０００９】
本発明によれば、内腿や腹部に対しての使い捨ておむつの着用感を向上させることができる。
【図面の簡単な説明】
【００１０】
【図１】本実施の形態に係るおむつ１の斜視イメージ図である。
【図２】展開状態のおむつ１の平面図である。
【図３】展開状態のおむつ１の断面図である。
【図４】展開状態のおむつ１における筒状胴回り領域２４及び股下パネル５０の位置を示した平面図である。
【図５】展開状態のおむつ１における前側接合部６２、後側接合部６６、及び、本体接合部７０の位置を示した平面図である。
【発明を実施するための形態】
【００１１】
本明細書及び添付図面の記載により、少なくとも以下の事項が明らかとなる。
【００１２】
縦方向と、前記縦方向と交差する横方向と、を有し、
前身頃部、後身頃部、前記前身頃部と前記後身頃部との間に位置する股下部を備え、前記前身頃部と前記股下部とが接合され、前記後身頃部と前記股下部とが接合されている外層シートと、
前記前身頃部から前記後身頃部に亘って設けられ、排泄物を吸収する吸収性本体と、を備え、
前記前身頃部の前記横方向における前身頃側縁と前記後身頃部の前記横方向における後身頃側縁が接合されている使い捨ておむつであって、
前記股下部には、股下レッグギャザーが設けられ、前記股下レッグギャザーは、前記吸収性本体とは接合されておらず、
前記前身頃部と前記股下部との接合部は、前記縦方向において、前記前身頃側縁の前記股下部側の端よりも前記股下部側に位置することを特徴とする使い捨ておむつ。
【００１３】
このような使い捨ておむつによれば、内腿や腹部に対しての使い捨ておむつの着用感を向上させることができる。
【００１４】
かかる使い捨ておむつであって、
前記股下部の前記横方向における側縁は、内側に湾曲した湾曲部を備えており、
前記湾曲部に沿って前記股下レッグギャザーが設けられていることが望ましい。
【００１５】
このような使い捨ておむつによれば、内腿に対しての使い捨ておむつの着用感をより一層向上させることができる。
【００１６】
かかる使い捨ておむつであって、
前記湾曲部は、前記前身頃部と重なっていることが望ましい。
【００１７】
このような使い捨ておむつによれば、湾曲部を介して股下部を前身頃部にスムーズに繋げることが可能となる。
【００１８】
かかる使い捨ておむつであって、
前記前身頃部と前記股下部とが重なった重なり部分において、前記接合部が設けられている一方で、該重なり部分の前記横方向における両端部には非接合部が設けられていることが望ましい。
【００１９】
このような使い捨ておむつによれば、内腿に対しての使い捨ておむつの着用感をより一層向上させることができる。
【００２０】
かかる使い捨ておむつであって、
前記股下レッグギャザーは前記非接合部と重なっていることが望ましい。
【００２１】
このような使い捨ておむつによれば、股下レッグギャザーの可動領域が減ることを防止することが可能となる。
【００２２】
かかる使い捨ておむつであって、
前記吸収性本体の前記横方向における横方向両端部分のうちの、前記縦方向における縦方向端部においては、前記吸収性本体が前記外層シートに接合されている一方で、
前記横方向両端部分のうちの、前記縦方向における縦方向非端部であって前記接合部と重なっている部分においては、前記吸収性本体が前記外層シートに接合されていないことが望ましい。
【００２３】
このような使い捨ておむつによれば、吸収性本体の前記横方向における横方向両端部分について、吸収性本体の固定すべきでない所を固定せず、固定すべき所をしっかりと固定することが可能となる。
【００２４】
かかる使い捨ておむつであって、
前記接合部は、前側接合部であり、
前記後身頃部と前記股下部とは後側接合部にて接合されており、
前記股下部の最狭部からの前記前側接合部の離間距離は、該最狭部からの前記後側接合部の離間距離よりも小さいことが望ましい。
【００２５】
このような使い捨ておむつによれば、前側接合部で未然に皺を途切れさせつつ、後側でごわごわ感を緩和することが可能となる。
【００２６】
かかる使い捨ておむつであって、
前記吸収性本体の前記横方向における横方向中央部分においては、前記吸収性本体が、前記後身頃部の前記股下部側の端部と重なる部分を除いて、前記縦方向に沿って前記外層シートに接合されていることが望ましい。
【００２７】
このような使い捨ておむつによれば、吸収性本体の前記横方向における横方向中央部分について、吸収性本体の固定すべきでない所を固定せず、固定すべき所をしっかりと固定することが可能となる。
【００２８】
＝＝＝本実施の形態に係る使い捨ておむつについて＝＝＝
図１は、本実施の形態に係る使い捨ておむつ（以下、単に、おむつ１と呼ぶ）の斜視イメージ図である。図２は、展開状態のおむつ１の平面図である。図３は、展開状態のおむつ１の断面図である。図４は、展開状態のおむつ１における筒状胴回り領域２４及び股下パネル５０の位置を示した平面図である。図５は、展開状態のおむつ１における前側接合部６２、後側接合部６６、及び、本体接合部７０の位置を示した平面図である。
【００２９】
本実施の形態に係る使い捨ておむつ（以下、単におむつ１とも呼ぶ）は、主に大人を着用対象としたパンツ型おむつである。
【００３０】
以下の説明では、おむつ１の横方向のことを、単に「横方向」と言う場合がある。また、図１の状態（着用状態）でのおむつ１の縦方向のことを、単に「縦方向」と言う場合がある。また、図２の状態（展開状態）でのおむつ１の長手方向のことを、単に「長手方向」と言う場合がある。また、着用者に接触する側のことを「肌側」、その反対側を「非肌側」と言う。また、以下の説明では「横方向」のことを「幅方向」とも呼ぶ。
【００３１】
本実施の形態に係るおむつ１は、所謂インナーアウタータイプであり、２つの部品を有している。すなわち、このおむつ１は、第１部品として、着用者の股間部にあてがわれ尿等の排泄物を吸収する吸収性本体１０（すなわち、インナー部材)を有し、第２部品として、吸収性本体１０の外側（非肌側）に位置する外層シート２０（すなわち、アウター部材）を有している。
【００３２】
吸収性本体１０は、着用者の股間（股下）に対応し、尿等の排泄物を吸収するためのものである。この吸収性本体１０は、図２に示すように（展開状態において）、平面視長方形状を有しており、長辺方向がおむつ１の長手方向に沿うように設けられている。
【００３３】
吸収性本体１０には、吸収体１１が設けられている。この吸収体１１は、液体吸収性素材を積層してなる部材（吸収性コア）であり、尿等の排泄物を吸収することができる。吸収体１１は、パルプ（パルプ繊維）と吸収性ポリマー（ＳＡＰ）とを有している。
【００３４】
吸収体１１は、液透過性シート（不織布）からなるコアラップ（不図示）に包まれ、厚み方向においてトップシート部材１２とバックシート部材１４により挟まれている。なお、トップシート部材１２は、不織布製の液透過性シートであり、バックシート部材１４は、ポリエチレン又はポリプロピレン製の液不透過性防漏シートと不織布製の液透過性外装シートとからなる二層構造のシートである。
【００３５】
外層シート２０は、前身頃部３０、後身頃部４０、前身頃部３０と後身頃部４０との間に位置する股下部（股下パネル５０と呼ぶ。図４において、右下がり斜線部で示す）の３分割構造を有するシートである。つまり、外層シート２０は、前身頃部３０、後身頃部４０、股下パネル５０に分かれており、前身頃部３０と股下パネル５０とが接合（固定）され、後身頃部４０と股下パネル５０とが接合（固定）されることにより形成されている。なお、本実施の形態において、当該接合はホットメルト接着剤により実現されている。
【００３６】
前身頃部３０は、着用者の腹部に対応する部分であり、後身頃部４０は、着用者の背部（尻部）に対応する部分であり、股下パネル５０は、着用者の股下に対応する部分である。したがって、図２に示すように、股下パネル５０は、長手方向において、前身頃部３０と後身頃部４０との間に位置している。そして、吸収性本体１０は、前身頃部３０から後身頃部４０に亘って設けられている。換言すれば、吸収性本体１０は、前身頃部３０、後身頃部４０、股下パネル５０と重なるように設けられている。そして、おむつ１の外観形状は、図２に示すように（展開状態において）、平面視略Ｈ形状をなしている。
【００３７】
そして、この状態から、吸収性本体１０及び股下パネル５０が、長手方向におけるおむつ１の真ん中（おむつ１の長手方向における一端と他端の真ん中）の位置（図２において、符号ＣＬで表す）を折り位置として二つ折りされる。この二つ折りの状態において互いに対向する前身頃部３０と後身頃部４０とが、接合・連結されると、これらが環状に成形される（図１参照）。つまり、前身頃部３０の横方向における前身頃側縁３１と後身頃部４０の横方向における後身頃側縁４１が連結（接合）されて筒状胴回り領域２４（当該領域を、図４において右上がり斜線部で示す）が形成されている。これにより、図１に示すような胴周り開口１ａ及び一対の脚周り開口１ｂが形成された着用状態のおむつ１となる。なお、本実施の形態においては、前身頃側縁３１の上端３１ａの縦方向における位置と後身頃側縁４１の上端４１ａの縦方向における位置とが一致し、前身頃側縁３１の下端３１ｂ（すなわち、股下パネル５０側の端）の縦方向における位置と後身頃側縁４１の下端４１ｂ（すなわち、股下パネル５０側の端）の縦方向における位置とが一致した状態で、前身頃側縁３１と後身頃側縁４１が上端３１ａ（上端４１ａ）から下端３１ｂ（下端４１ｂ）に亘って接合されている（図２において、接合部を符号Ｊで示している）。
【００３８】
前身頃部３０は、図３に示すように、二枚の不織布により形成されており、それらのうちの一枚（非肌側の不織布）が伸縮性の不織布となっている。
【００３９】
また、前身頃部３０は、前述した筒状胴回り領域２４（前身頃部３０に属する筒状胴回り領域２４。以下、前側胴回り領域３２と呼ぶ）と、当該前側胴回り領域３２よりも股下パネル５０側（股下側）に位置する領域（前身頃股下側領域３４と呼ぶ）とに、便宜上分けることができる。
【００４０】
前側胴回り領域３２は、図２及び図４に示すように、平面視長方形状を有しており、長辺方向が幅方向に沿っており、短辺方向が長手方向（縦方向）に沿っている（つまり、前述した前身頃側縁３１は長手方向（縦方向）に沿っている）。一方、前身頃股下側領域３４は、平面視において等脚台形に類似した形状を有している。等脚台形と異なるのは、脚が直線ではなく内側に湾曲している点である。また、下底（長い方の底。つまり、前側胴回り領域３２との境界線）の長さは、前側胴回り領域３２の長辺の長さよりも小さくなっている。
【００４１】
したがって、前身頃部３０の外周縁としては、前述した前身頃側縁３１（前側胴回り領域３２の横方向における両端に計２箇所）の他に、横方向に沿った前身頃上端縁３５と、横方向に沿った一つの第一前身頃下端縁３６ａ及び二つの第二前身頃下端縁３６ｂと、内側に湾曲し第一前身頃下端縁３６ａと第二前身頃下端縁３６ｂとの間に位置する二つの第三前身頃下端縁３６ｃと、からなる前身頃下端縁３６が設けられている。前身頃側縁３１、前身頃上端縁３５、第二前身頃下端縁３６ｂは、前側胴回り領域３２に設けられ、第一前身頃下端縁３６ａ、第三前身頃下端縁３６ｃは、前身頃股下側領域３４に設けられている。
【００４２】
また、前身頃部３０（前側胴回り領域３２）には、横方向に沿って伸縮する弾性部材（具体的には、糸ゴム。便宜上、前身頃糸ゴム３０ａと呼ぶ）が複数配置されている。この前身頃糸ゴム３０ａは、前記前身頃上端縁３５に沿って前身頃上端縁３５の一端部から他端部に亘って設けられている。この前身頃糸ゴム３０ａは、二枚の不織布の間に介装され、二枚の不織布に接合固定されている。そして、このことにより、前身頃部３０には、横方向の伸縮性が付与され、おむつ１の胴周り開口１ａに伸縮性を与えている。
【００４３】
また、前身頃部３０には、所謂レッグギャザー２６（脚周り伸縮部）が設けられている。後述するように、レッグギャザー２６は、前身頃部３０のみならず、後身頃部４０、股下パネル５０にも設けられている。したがって、これらを区別するため、それぞれを、前側レッグギャザー３７、後側レッグギャザー４７、股下レッグギャザー５４と呼ぶ。前側レッグギャザー３７、後側レッグギャザー４７、股下レッグギャザー５４は、協働しておむつ１の脚周り開口１ｂ（外層シート２０の脚周り部分）に伸縮性を与えている。
【００４４】
二枚の不織布の間には、複数の弾性部材（具体的には、糸ゴム。便宜上、ＬＧ糸ゴムと呼ぶ）が配置（接合固定）されており、当該ＬＧ糸ゴムが不織布に伸縮性を付与することによって、前側レッグギャザー３７が構成されている。この前側レッグギャザー３７（ＬＧ糸ゴム）は、前述した第二前身頃下端縁３６ｂ及び第三前身頃下端縁３６ｃに沿ってこれらの縁の一端部から他端部に亘って連続して設けられている。
【００４５】
後身頃部４０は、図３に示すように、二枚の不織布により形成されており、それらのうちの一枚（非肌側の不織布）が伸縮性の不織布となっている。
【００４６】
また、後身頃部４０は、前述した筒状胴回り領域２４（後身頃部４０に属する筒状胴回り領域２４。以下、後側胴回り領域４２と呼ぶ）と、当該後側胴回り領域４２よりも股下パネル５０側（股下側）に位置する領域（後身頃股下側領域４４と呼ぶ）とに、便宜上分けることができる。
【００４７】
後側胴回り領域４２は、図２及び図４に示すように、平面視長方形状を有しており、長辺方向が幅方向に沿っており、短辺方向が長手方向（縦方向）に沿っている（つまり、前述した後身頃側縁４１は長手方向（縦方向）に沿っている）。一方、後身頃股下側領域４４は、平面視において等脚台形に類似した形状を有している。等脚台形と異なるのは、脚が直線ではなく外側に湾曲している点である。また、下底（長い方の底。つまり、後側胴回り領域４２との境界線）の長さは、後側胴回り領域４２の長辺の長さよりも僅かに小さくなっている。
【００４８】
したがって、後身頃部４０の外周縁としては、前述した後身頃側縁４１（後側胴回り領域４２の横方向における両端に計２箇所）の他に、横方向に沿った後身頃上端縁４５と、横方向に沿った一つの第一後身頃下端縁４６ａ及び二つの第二後身頃下端縁４６ｂと、外側に湾曲し第一後身頃下端縁４６ａと第二後身頃下端縁４６ｂとの間に位置する二つの第三後身頃下端縁４６ｃと、からなる後身頃下端縁４６が設けられている。後身頃側縁４１、後身頃上端縁４５、第二後身頃下端縁４６ｂは、後側胴回り領域４２に設けられ、第一後身頃下端縁４６ａ、第三後身頃下端縁４６ｃは、後身頃股下側領域４４に設けられている。
【００４９】
また、後身頃部４０（後側胴回り領域４２）には、横方向に沿って伸縮する弾性部材（具体的には、糸ゴム。便宜上、後身頃糸ゴム４０ａと呼ぶ）が複数配置されている。この後身頃糸ゴム４０ａは、前記後身頃上端縁４５に沿って後身頃上端縁４５の一端部から他端部に亘って設けられている。この後身頃糸ゴム４０ａは、二枚の不織布の間に介装され、二枚の不織布に接合固定されている。そして、このことにより、後身頃部４０には、横方向の伸縮性が付与され、おむつ１の胴周り開口１ａに伸縮性を与えている。
【００５０】
また、二枚の不織布の間には、ＬＧ糸ゴムが配置（接合固定）されており、当該ＬＧ糸ゴムが不織布に伸縮性を付与することによって、後側レッグギャザー４７が構成されている。この後側レッグギャザー４７（ＬＧ糸ゴム）は、前述した第二後身頃下端縁４６ｂ及び第三後身頃下端縁４６ｃに沿ってこれらの縁の一端部から他端部に亘って連続して設けられている。
【００５１】
股下パネル５０は、図３に示すように、二枚の不織布により形成されている。この股下パネル５０は、平面視略砂時計形状を備えている。すなわち、股下パネル５０は、当該股下パネル５０の長手方向における中央部分（具体的には、中央よりも前身頃部３０側）に、横方向における内側へ湾曲した湾曲部５２（窪んだ窪み部）を備えている。換言すれば、股下パネル５０の横方向における両側縁は、内側に湾曲した湾曲部５２を有している。そのため、当該中央部分（湾曲部５２）において、股下パネル５０の幅が最も狭くなっている（最狭部５３となっている）。一方で、股下パネル５０の長手方向における両端部には、湾曲部５２が設けられておらず、当該両端部においては、股下パネル５０の幅が最も広くなっている（最広部となっている）。
【００５２】
また、二枚の不織布の間には、ＬＧ糸ゴムが配置（接合固定）されており、当該ＬＧ糸ゴムが不織布に伸縮性を付与することによって、股下レッグギャザー５４が構成されている。この股下レッグギャザー５４（ＬＧ糸ゴム）は、前述した湾曲部５２に沿って連続して設けられている。また、股下レッグギャザー５４（ＬＧ糸ゴム）は、湾曲部５２を越えて、股下パネル５０の長手方向における前記両端部に位置する前記最広部まで延びている。
【００５３】
そして、前身頃部３０、後身頃部４０、股下パネル５０については、前述したとおり、前身頃部３０と股下パネル５０とが接合され、後身頃部４０と股下パネル５０とが接合されている。以下において、前身頃部３０と股下パネル５０との接合部（前側接合部６２と呼ぶ）と、後身頃部４０と股下パネル５０との接合部（後側接合部６６と呼ぶ）について、この順に説明する。
【００５４】
図２及び図３に示すように、前身頃部３０と股下パネル５０は、前身頃部３０が股下パネル５０よりも非肌側に位置するように重ねられている。また、股下パネル５０の縦方向における上端部が前身頃部３０の縦方向における下端部に重なっている。より具体的には、股下パネル５０の前記最広部だけでなく（最広部を越えて）、前記湾曲部５２まで、前身頃部３０と重なっている。一方、前身頃部３０については、前記前側胴回り領域３２及び前身頃股下側領域３４のうちの前身頃股下側領域３４のみが、股下パネル５０と重なっている。
【００５５】
そして、このような重なり部分において、前側接合部６２（図５の右上がり斜線部参照）が設けられている（この前側接合部６２は、周囲の非接合部分よりも剛性が高い高剛性部となっている）。したがって、前側接合部６２は、股下パネル５０の縦方向における上端部に設けられている。そして、前側接合部６２は、股下パネル５０の前記最広部だけでなく（最広部を越えて）、前記湾曲部５２まで至っている。なお、図５に示すように、股下パネル５０の湾曲部５２に位置する前記最狭部５３からの前側接合部６２の離間距離Ｄ１は、該最狭部５３からの後述する後側接合部６６の離間距離Ｄ２よりも小さくなっている。
【００５６】
また、前側接合部６２は、前身頃部３０の縦方向における下端部に設けられている。そして、前側接合部６２は、前側胴回り領域３２及び前身頃股下側領域３４のうちの前身頃股下側領域３４のみに備えられている。すなわち、前側接合部６２は、長手方向（縦方向）において、前側胴回り領域３２（の下端）よりも股下パネル５０側（下側）に位置している。換言すれば、前側接合部６２は、長手方向（縦方向）において、前記前身頃側縁３１の股下パネル５０側の端（下端３１ｂ）よりも股下パネル５０側（下側）に位置している。
【００５７】
また、図５に示すように、前側接合部６２は、長辺方向が横方向に沿う平面視長方形状を有し、横方向両端部のうち縦方向（長手方向）における股下パネル５０側（下側）には切り欠きＡを備えている。つまり、前身頃部３０と股下パネル５０を長方形状に接合するのではなく、長方形状の中で一部接合しない部分を設けている。この切り欠きＡに相当する非接合部６４は、前身頃部３０と股下パネル５０の重なり部分において、横方向における両端部に位置する。つまり、非接合部６４は、当該重なり部分の横方向における両端部に設けられている。なお、図５に示すように、当該非接合部６４には、前述した股下レッグギャザー５４（ＬＧ糸ゴム）が延出しており、股下レッグギャザー５４（ＬＧ糸ゴム）と非接合部６４は重なっている。
【００５８】
また、図２及び図３に示すように、後身頃部４０と股下パネル５０は、後身頃部４０が股下パネル５０よりも非肌側に位置するように重ねられている。また、股下パネル５０の縦方向における上端部が後身頃部４０の縦方向における下端部に重なっている。より具体的には、股下パネル５０の前記最広部が後身頃部４０と重なっている（前身頃部３０とは異なり、湾曲部５２とは重なっていない）。一方、後身頃部４０については、前記後側胴回り領域４２及び後身頃股下側領域４４のうちの後身頃股下側領域４４のみが、股下パネル５０と重なっている。
【００５９】
そして、このような重なり部分において、後側接合部６６（図５の右上がり斜線部参照）が設けられている（この後側接合部６６は、周囲の非接合部分よりも剛性が高い高剛性部となっている）。したがって、後側接合部６６は、股下パネル５０の縦方向における上端部に設けられている。そして、後側接合部６６は、股下パネル５０の前記最広部に備えられている。
【００６０】
また、後側接合部６６は、後身頃部４０の縦方向における下端部に設けられている。そして、後側接合部６６は、後側胴回り領域４２及び後身頃股下側領域４４のうちの後身頃股下側領域４４のみに備えられている。すなわち、後側接合部６６は、長手方向（縦方向）において、後側胴回り領域４２（の下端）よりも股下パネル５０側（下側）に位置している。換言すれば、後側接合部６６は、長手方向（縦方向）において、前記後身頃側縁４１の股下パネル５０側の端（下端４１ｂ）よりも股下パネル５０側（下側）に位置している。
【００６１】
また、図５に示すように、後側接合部６６は、長辺方向が横方向に沿う平面視長方形状を有している（前側接合部６２に存在した切り欠きＡは設けられていない）。
【００６２】
また、前述したとおり、外層シート２０（前身頃部３０、後身頃部４０、股下パネル５０）は、吸収性本体１０と重なっている。すなわち、図２及び図３に示すように、外層シート２０と吸収性本体１０は、外層シート２０が吸収性本体１０よりも非肌側に位置するように重ねられている。なお、吸収性本体１０の全ての部分が外層シート２０と重なっているわけではない。例えば、股下パネル５０の長手方向における中央部分には、内側へ湾曲した湾曲部５２が備えられているため、当該中央部分において、長方形状の吸収性本体１０は、湾曲部５２から横方向にはみ出している。そして、はみ出した部分は、外層シート２０（股下パネル５０）とは重なっていない。
【００６３】
外層シート２０と吸収性本体１０とが重なった重なり部分においては、外層シート２０と吸収性本体１０が接合部（図５の右下がり斜線部参照。便宜上、本体接合部７０と呼ぶ）にて接合されている。なお、重なり部分の全てにおいて、外層シート２０と吸収性本体１０が接合されているわけではない。例えば、図５に示すように、外層シート２０の股下レッグギャザー５４（ＬＧ糸ゴム）は、吸収性本体１０と接合されていない。つまり、本体接合部７０は、股下レッグギャザー５４（ＬＧ糸ゴム）との重なりを回避するように、設けられている。
【００６４】
本体接合部７０は、おむつ１の横方向で見たときには、５箇所に分けて設けられている。そのうちの一つ（第一本体接合部７１と呼ぶ）は、吸収性本体１０の当該横方向における横方向中央部分に設けられており、そのうちの二つ（第二本体接合部７２及び第三本体接合部７３と呼ぶ）は、吸収性本体１０の当該横方向における横方向両端部分に設けられており、残りの二つ（第四本体接合部７４及び第五本体接合部７５と呼ぶ）は、当該横方向において、第一本体接合部７１と第二本体接合部７２（第三本体接合部７３）との間に設けられている。
【００６５】
第一本体接合部７１は、縦方向に沿って吸収性本体１０の一端から他端に亘って設けられている。しかしながら、後身頃部４０の股下パネル５０側の端部（下端部）と重なる部分には、接合部の切れ目Ｂ（非接合部）が存在している。すなわち、吸収性本体１０の横方向における横方向中央部分においては、吸収性本体１０が、後身頃部４０の股下パネル５０側の端部（下端部）と重なる部分を除いて、縦方向に沿って外層シート２０に接合されている。
【００６６】
第二本体接合部７２及び第三本体接合部７３は、吸収性本体１０の縦方向における縦方向端部に設けられている。つまり、第二本体接合部７２及び第三本体接合部７３は、吸収性本体１０の四隅を外層シート２０に接合する役割を果たしている。そして、当該第二本体接合部７２及び第三本体接合部７３は、吸収性本体１０の縦方向における縦方向非端部であって前述した前側接合部６２や後側接合部６６と重なっている部分には、設けられていない（至っていない）。すなわち、吸収性本体１０の横方向における横方向両端部分のうちの、縦方向における縦方向端部においては、吸収性本体１０が外層シート２０に接合されている一方で、前記横方向両端部分のうちの、縦方向における縦方向非端部であって前側接合部６２や後側接合部６６と重なっている部分においては、吸収性本体１０が外層シート２０に接合されていない。
【００６７】
第四本体接合部７４及び第五本体接合部７５は、前述した本体接合部７０とは異なり、縦方向に沿って連続的に吸収性本体１０の一端から他端に亘って設けられている。つまり、吸収性本体１０が、第四本体接合部７４及び第五本体接合部７５にて、縦方向に沿って連続的に外層シート２０に接合されている。
【００６８】
＝＝＝本実施の形態に係るおむつ１の有効性について＝＝＝
上述したとおり、本実施の形態に係るおむつ１は、縦方向と、縦方向と交差する横方向と、を有し、前身頃部３０、後身頃部４０、前身頃部３０と後身頃部４０との間に位置する股下パネル５０を備え、前身頃部３０と股下パネル５０とが接合され、後身頃部４０と股下パネル５０とが接合されている外層シート２０と、前身頃部３０から後身頃部４０に亘って設けられ、排泄物を吸収する吸収性本体１０と、を備え、前身頃部３０の横方向における前身頃側縁３１と後身頃部４０の横方向における後身頃側縁４１が接合されているおむつ１であった。そして、股下パネル５０には、股下レッグギャザー５４が設けられ、股下レッグギャザー５４は、吸収性本体１０とは接合されておらず、前身頃部３０と股下パネル５０との前側接合部６２は、縦方向において、前身頃側縁３１の股下パネル５０側の端（下端３１ｂ）よりも股下パネル５０側に位置することとした。そのため、内腿や腹部に対してのおむつ１の着用感を向上させることが可能となる。
【００６９】
比較例に係るおむつは、本実施の形態に係るおむつと同様、前身頃部、後身頃部、前身頃部と後身頃部との間に位置する股下パネルを備え、前身頃部と股下パネルとが接合され、後身頃部と股下パネルとが接合されている外層シートと、前身頃部から後身頃部に亘って設けられ、排泄物を吸収する吸収性本体と、を備え、前身頃部の横方向における前身頃側縁と後身頃部の横方向における後身頃側縁が接合されているものの、以下の点で、本実施の形態に係るおむつとは異なっていた。
【００７０】
すなわち、比較例に係るおむつにおいては、股下パネルの股下レッグギャザーが吸収性本体と接合されていた。そして、このことに起因して、以下の問題が生じていた。
【００７１】
すなわち、おむつを着用した際には、吸収性本体が両太腿に挟まれると、吸収性本体は変形し、その幅が狭くなる。そして、吸収性本体に股下パネルの股下レッグギャザーが接合されているため、股下レッグギャザーが、吸収性本体の当該変形（幅が狭くなること）の影響を受け、太腿に適切に沿わないという事態が生じていた。したがって、股下パネルが内腿に適切にフィットしないという問題が発生していた。
【００７２】
また、比較例に係るおむつ１においては、前身頃部と股下パネルとの前側接合部が、縦方向において、前身頃側縁の股下パネル側の端（下端）よりも股下パネル側とは反対側（上側）に位置していた。換言すれば、前側接合部は、前側胴回り領域に備えられていた。そして、このことに起因して、以下の問題が生じていた。
【００７３】
すなわち、おむつを着用した際には、股下パネルが両太腿の間に位置することにより、股下パネルに縦方向（長手方向）に沿った皺が発生する。そして、この皺が、前身頃部にも影響を与えて、前側胴回り領域まで当該皺が伸びる可能性があった。この場合には、当該皺により腹部に関しての着心地がよくないという問題が生じていた。
【００７４】
これに対し、本実施の形態においては、股下パネル５０の股下レッグギャザー５４が吸収性本体１０と接合されていないため、股下レッグギャザー５４が、吸収性本体１０の前述した変形（幅が狭くなること）の影響を受けず、太腿に適切に沿わないという事態を回避することができる。つまり、吸収性本体１０が当該変形をしても、股下レッグギャザー５４の方は吸収性本体１０とは独立して動けるので、股下レッグギャザー５４は太腿に適切に沿うことができる。したがって、股下パネル５０が内腿に適切にフィットしないという問題を抑えることが可能となる。
【００７５】
また、本実施の形態においては、前身頃部３０と股下パネル５０との前側接合部６２は、縦方向において、前身頃側縁３１の股下パネル５０側の端（下端３１ｂ）よりも股下パネル５０側（下側）に位置するため、股下パネル５０に発生した縦方向（長手方向）に沿った皺が前身頃部３０に影響を与える問題を抑えることができる。つまり、股下パネル５０に発生した当該皺が前側胴回り領域３２に至る前に、高剛性部である前側接合部６２が、前側胴回り領域３２（下端３１ｂ）よりも下側で皺の前側胴回り領域３２への伝達を止める作用を発揮する。そのため、前側胴回り領域３２まで皺が伸びて、当該皺により腹部に関しての着心地がよくないという問題を抑えることが可能となる。
【００７６】
以上のことから、本実施の形態に係るおむつ１によれば、内腿や腹部に対してのおむつ１の着用感を向上させることができる。また、股下パネル５０が内腿に適切にフィットしないという問題を抑えることが可能となるため、おむつ１と内腿との間から排泄物が漏れることを抑止することができる。また、前側胴回り領域３２まで皺が伸びる問題を抑えることが可能となるため、前側胴回り領域３２におけるおむつ１のシルエットを適切な状態に維持する（見た目が美しい）ことが可能となる。
【００７７】
また、本実施の形態においては、股下パネル５０の横方向における側縁は、内側に湾曲した湾曲部５２を備えており、当該湾曲部５２に沿って股下レッグギャザー５４が設けられていることとした。
【００７８】
そのため、湾曲部５２の湾曲した形状が内腿に沿うことにより、股下パネル５０を内腿に、より一層適切にフィットさせることが可能となる。したがって、内腿に対してのおむつ１の着用感をより一層向上させることができる。また、おむつ１と内腿との間から排泄物が漏れることをより一層抑止することができる。
【００７９】
また、本実施の形態においては、当該湾曲部５２は、前身頃部３０と重なっていることとした。
【００８０】
仮に、股下パネル５０の前述した最広部のみが前身頃部３０に重なり、湾曲部５２が前身頃部３０に重なっていない場合には、股下パネル５０から前身頃部３０にかけての側縁のラインが凸凹してしまう。これに対し、本実施の形態においては、湾曲部５２を介して股下パネル５０を前身頃部３０にスムーズに繋げることが可能となる。
【００８１】
また、本実施の形態においては、前身頃部３０と股下パネル５０とが重なった重なり部分において、前側接合部６２が設けられている一方で、該重なり部分の横方向における両端部には非接合部６４（切り欠きＡに相当する部分）が設けられていることとした。
【００８２】
前身頃部３０と股下パネル５０とが重なった重なり部分の横方向における両端部は、おむつ１を着用した際に、太腿に当たる可能性が高い部分である。本実施の形態においては、当該重なり部分全体に前側接合部６２（高剛性部）を設けるのではなく、当該両端部においては接合を行わないことにより剛性が高い部分が太腿に当たらないような工夫をしている。したがって、内腿に対してのおむつ１の着用感をより一層向上させることができる。
【００８３】
また、本実施の形態においては、股下レッグギャザー５４が当該両端部に設けられた非接合部６４と重なっていることとした。
【００８４】
仮に、股下レッグギャザー５４が当該非接合部６４と重なっていない場合には、股下レッグギャザー５４の伸縮性が接合によりうまく働かず、股下レッグギャザー５４の可動領域が減ることとなる。これに対し、本実施の形態においては、股下レッグギャザー５４が当該両端部において前身頃部３０に接合されていない（非接合部６４と重なっている）ため、股下レッグギャザー５４の可動領域が減ることを防止することが可能となる。
【００８５】
また、本実施の形態においては、吸収性本体１０の横方向における横方向両端部分のうちの、縦方向における縦方向端部においては、吸収性本体１０が外層シート２０に接合されている一方で、横方向両端部分のうちの、縦方向における縦方向非端部であって前側接合部６２と重なっている部分においては、吸収性本体１０が外層シート２０に接合されていないこととした。
【００８６】
そのため、当該横方向両端部分のうちの縦方向端部、つまり、吸収性本体１０の四隅については、しっかりと吸収性本体１０を外層シート２０に固定できる。
【００８７】
一方で、当該横方向両端部分のうちの前側接合部６２と重なっている部分（縦方向非端部）については、吸収性本体１０が外層シート２０に接合されていない。仮に、吸収性本体１０が外層シート２０に接合されている場合には、剛性が高い吸収体１１を備える吸収性本体１０が前側接合部６２に固定されることとなるため、当該剛性の高さに起因して前側接合部６２に皺が出来やすくなる。かかる際には、皺の伝達を止める作用を有する前側接合部６２に、皺が発生し得ることとなり、望ましくない。これに対し、本実施の形態においては、皺の伝達を止める作用を有する前側接合部６２に、吸収性本体１０による皺が出来にくくすることが可能となる。
【００８８】
このように、本実施の形態によれば、吸収性本体１０の横方向における横方向両端部分について、吸収性本体１０の固定すべきでない所を固定せず、固定すべき所をしっかりと固定することが可能となる。
【００８９】
また、本実施の形態においては、股下パネル５０の最狭部５３からの前側接合部６２の離間距離Ｄ１は、該最狭部５３からの後側接合部６６の離間距離Ｄ２よりも小さいこととした。
【００９０】
おむつ１においては、股下パネル５０の当該最狭部５３で最も皺が発生しやすい。したがって、最狭部５３からの接合部の離間距離を小さくすれば、接合部で未然に皺を途切れさせることができる。一方で、接合部は高剛性部であるため、当該接合部においてはおむつ１の着用時にごわごわ感が発生する。そして、後側（尻側、背側）においては、最狭部５３からの接合部の離間距離を大きくすれば（つまり、尻よりも背の方に接合部を持って行けば）、ごわごわ感を緩和することができる。
【００９１】
そこで、本実施の形態においては、かかる事情に鑑み、最狭部５３からの前側接合部６２の離間距離Ｄ１と最狭部５３からの後側接合部６６の離間距離Ｄ２を同じにするのではなく、差を設けている。すなわち、後側（離間距離Ｄ２）については、前側よりも位置的に皺が目立ちにくく（目に入りにくく）、ごわごわ感の問題があるため、皺よりもごわごわ感の問題を重視して、離間距離Ｄ１よりも大きくしている。一方、前側（離間距離Ｄ１）については、ごわごわ感の場所による緩和度合いにあまり差がなく、後側よりも位置的に皺が目立ちやすい（目に入りやすい）ため、ごわごわ感よりも皺の問題を重視して、離間距離Ｄ２よりも大きくしている。
【００９２】
このように、本実施の形態によれば、前側接合部６２で未然に皺を途切れさせつつ、後側でごわごわ感を緩和することが可能となる。
【００９３】
また、本実施の形態においては、吸収性本体１０の横方向における横方向中央部分においては、吸収性本体１０が、後身頃部４０の股下パネル５０側の端部（下端部）と重なる部分を除いて、縦方向に沿って外層シート２０に接合されていることとした。
【００９４】
吸収性本体１０の横方向中央部分であって後身頃部４０の下端部と重なる部分は、おむつ１を着用した際に尻溝に対応した部分となる。そして、仮に、当該部分も外層シート２０に接合してしまうと、尻溝に入り込もうとするような吸収性本体１０の折り曲がり変形が外層シート２０に悪影響を与えてしまう（外層シート２０も当該変形に影響を受けて尻溝の方へ引っ張られてしまう）。そこで、本実施の形態においては、当該部分は外層シート２０に接合しないようにして、吸収性本体１０の折り曲がり変形が外層シート２０に悪影響をなるべく与えないようにしている。
【００９５】
このように、本実施の形態によれば、吸収性本体１０の横方向における横方向中央部分について、吸収性本体１０の固定すべきでない所を固定せず、固定すべき所をしっかりと固定することが可能となる。
【００９６】
＝＝＝その他の実施の形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００９７】
上記実施の形態に係るおむつ１は、大人を着用対象としたが、これに限定されるものではなく、新生児、乳児、幼児等の子供を着用対象としてもよい。
【符号の説明】
【００９８】
１  おむつ、１ａ  胴周り開口、１ｂ  脚周り開口
１０  吸収性本体、１１  吸収体
１２  トップシート部材、１４  バックシート部材
２０  外層シート
２４  筒状胴回り領域
２６  レッグギャザー
３０  前身頃部、３０ａ  前身頃糸ゴム
３１  前身頃側縁、３１ａ  上端、３１ｂ  下端
３２  前側胴回り領域、３４  前身頃股下側領域
３５  前身頃上端縁
３６  前身頃下端縁、３６ａ  第一前身頃下端縁
３６ｂ  第二前身頃下端縁、３６ｃ  第三前身頃下端縁
３７  前側レッグギャザー
４０  後身頃部、４０ａ  後身頃糸ゴム
４１  後身頃側縁、４１ａ  上端、４１ｂ  下端
４２  後側胴回り領域、４４  後身頃股下側領域
４５  後身頃上端縁
４６  後身頃下端縁、４６ａ  第一後身頃下端縁
４６ｂ  第二後身頃下端縁、４６ｃ  第三後身頃下端縁
４７  後側レッグギャザー
５０  股下パネル、５２  湾曲部、５３  最狭部
５４  股下レッグギャザー
６２  前側接合部、６４  非接合部、６６  後側接合部
７０  本体接合部、７１  第一本体接合部
７２  第二本体接合部、７３  第三本体接合部
７４  第四本体接合部、７５  第五本体接合部
Ａ  切り欠き、Ｂ  切れ目
ＣＬ  真ん中の位置
Ｊ  接合部
【図１】
0006412846.tif 000002
【図２】
0006412846.tif 000003
【図３】
0006412846.tif 000004
【図４】
0006412846.tif 000005
【図５】
0006412846.tif 000006